(57)【要約】【課題】複数の可動する筐体を有する携帯端末装置の筐体を閉じた状態において、操作部の視認性を向上させるための蓄光部を蓄光すること。【解決手段】第２の筐体１０２は、第１の筐体１０１に対して可動自在に第１の筐体１０１に取り付けられる。液晶バックライト２０３は、第２の筐体１０２に設けられる。操作キー部１１０は、第１の筐体１０１と第２の筐体１０２とが重なり合う閉じた状態において、第１の筐体１０１の液晶バックライト２０３と対向する面Ｓ０に設けられるとともに、蓄光部２０１を有する。【選択図】図２
2011097422.tif 000002
【特許請求の範囲】
【請求項１】
第１の筐体と、
前記第１の筐体に対して可動自在に前記第１の筐体に取り付けられる第２の筐体と、
前記第２の筐体に設けられる発光部と、
前記第１の筐体と前記第２の筐体とが重なり合う閉じた状態において前記第１の筐体の前記発光部と対向する面に設けられるとともに蓄光部を有する操作部と、
を具備する携帯端末装置。
【請求項２】
前記第２の筐体に設けられる表示部をさらに具備し、
前記発光部は、前記表示部を背面から照光するバックライトであり、前記表示部を介して前記蓄光部を照光する請求項１記載の携帯端末装置。
【請求項３】
前記第２の筐体に設けられる表示部をさらに具備し、
前記発光部は、前記表示部を背面から照光するバックライトであり、
前記第２の筐体は、前記閉じた状態において前記バックライトの光を前記蓄光部に導く開口部を有する請求項１記載の携帯端末装置。
【請求項４】
前記第２の筐体に設けられるカメラをさらに具備し、
前記発光部は、前記カメラのフラッシュである請求項１記載の携帯端末装置。
【請求項５】
前記第１の筐体と前記第２の筐体とは互いに回転自在である請求項１記載の携帯端末装置。
【請求項６】
前記第１の筐体と前記第２の筐体とは互いにスライド自在である請求項１記載の携帯端末装置。
【請求項７】
前記第２の筐体に設けられ、照度を測定する照度センサーをさらに具備し、
前記発光部は、前記照度センサーにより測定した照度が閾値以下の場合に発光する請求項１記載の携帯端末装置。
【請求項８】
前記発光部は、前記蓄光材に蓄光する処理を終了してから所定時間経過後に発光する請求項１記載の携帯端末装置。
【請求項９】
動きを検出する検出センサーをさらに具備し、
前記発光部は、前記検出センサーにより動きを検出した際に発光する請求項１記載の携帯端末装置。
【発明の詳細な説明】
【技術分野】
【０００１】
本発明は、特に互いに可動する複数の筐体を有する携帯端末装置に関する。
【背景技術】
【０００２】
従来、携帯電話等の携帯端末装置において、暗所におけるキーの視認性を向上させるために、ボタンキーを蓄光材により形成するものが知られている。このような携帯端末装置では、蓄光材は、外来光を蓄えることにより、暗所において自己発光するので、暗所におけるボタンキーの視認性を向上させることができる。一方、上記の携帯端末装置では、夜間等の外来光が充分に届かない環境では、ボタンキーの蓄光材に蓄光できないという課題がある。
【０００３】
このような課題を解決する方法として、ボタンキーの近傍に配置したキー照明部によりキーを照光する際に、ボタンキーの蓄光材が、キー照明部からの光を蓄光するものが知られている（例えば、特許文献１）。特許文献１によれば、ボタンキーの蓄光材は、外来光が充分に届かない環境でも、キー照明部からの光を蓄光することができる。
【先行技術文献】
【特許文献】
【０００４】
【特許文献１】特開２００１−３３２１５１号公報
【発明の概要】
【発明が解決しようとする課題】
【０００５】
しかしながら、特許文献１においては、回転式または横スライド式等の複数の可動する筐体を有する携帯端末装置の筐体を閉じた状態において、ボタンキーの蓄光材に蓄光することについては開示されていない。
【０００６】
本発明はかかる点に鑑みてなされたものであり、複数の可動する筐体を有する携帯端末装置の筐体を閉じた状態において、操作部の視認性を向上させるための蓄光部を蓄光することができる携帯端末装置を提供することを目的とする。
【課題を解決するための手段】
【０００７】
本発明の携帯端末装置は、第１の筐体と、前記第１の筐体に対して可動自在に前記第１の筐体に取り付けられる第２の筐体と、前記第２の筐体に設けられる発光部と、前記第１の筐体と前記第２の筐体とが重なり合う閉じた状態において前記第１の筐体の前記発光部と対向する面に設けられるとともに蓄光部を有する操作部と、を具備する構成を採る。
【発明の効果】
【０００８】
本発明によれば、複数の可動する筐体を有する携帯端末装置の筐体を閉じた状態において、操作部の視認性を向上させるための蓄光部を蓄光することができる。
【図面の簡単な説明】
【０００９】
【図１】本発明の実施の形態１に係る携帯端末装置の斜視図
【図２】本発明の実施の形態１に係る携帯端末装置の側面図
【図３】本発明の実施の形態１に係る携帯端末装置の要部の側断面図図
【図４】本発明の実施の形態１に係る携帯端末装置の構成を示すブロック図
【図５】本発明の実施の形態１に係る携帯端末装置の閉じた状態において蓄光部を蓄光させる方法を示すフロー図
【図６】本発明の実施の形態２に係る携帯端末装置の構成を示すブロック図
【図７】本発明の実施の形態２に係る携帯端末装置の閉じた状態において蓄光部を蓄光させる方法を示すフロー図
【図８】本発明の実施の形態３に係る携帯端末装置の構成を示すブロック図
【図９】本発明の実施の形態３に係る携帯端末装置の閉じた状態において蓄光部を蓄光させる方法を示すフロー図
【図１０】本発明の実施の形態４に係る携帯端末装置の斜視図
【図１１】本発明の実施の形態４に係る携帯端末装置の側面図
【図１２】本発明の実施の形態５に係る携帯端末装置の斜視図
【図１３】本発明の実施の形態５に係る携帯端末装置の側面図
【図１４】本発明の実施の形態５に係る携帯端末装置の構成を示すブロック図
【発明を実施するための形態】
【００１０】
以下、本発明の実施の形態について、図面を参照して詳細に説明する。
【００１１】
（実施の形態１）
図１は、本発明の実施の形態１に係る携帯端末装置１００の斜視図である。また、図２は、本発明の実施の形態１に係る携帯端末装置１００の側面図である。また、図１は、携帯端末装置１００の開いた状態を示し、図２は、携帯端末装置１００の閉じた状態を示す。
【００１２】
携帯端末装置１００は、第１の筐体１０１と、第２の筐体１０２と、ヒンジ部１０３とから主に構成される。また、第１の筐体１０１は、操作キー部１１０と、回路基板２００と、蓄光部２０１とを有する。また、第２の筐体１０２は、表示部１２０と、カメラ１２１と、照度センサー１２２と、液晶モジュール２０２と、液晶バックライト２０３とを有する。以下に、各構成について、詳細に説明する。
【００１３】
第１の筐体１０１は、略箱形であり、ヒンジ部１０３を介して第２の筐体１０２に対してＸ１方向またはＸ２方向（図２参照）に回転自在に、第２の筐体１０２に取り付けられる。また、第１の筐体１０１は、外部に露出する操作キー部１１０を有する。また、第１の筐体１０１は、内部に回路基板２００及び蓄光部２０１を有する。また、第１の筐体１０１の内部において、操作キー部１１０を含む領域ｒ１（図１において破線により囲まれる領域）に蓄光部２０１が配置される。
【００１４】
第２の筐体１０２は、略箱形であり、ヒンジ部１０３を介して第１の筐体１０１に対してＸ１方向またはＸ２方向に回転自在に、第１の筐体１０１に取り付けられる。また、第２の筐体１０２は、外部に露出する表示部１２０を有する。また、第２の筐体１０２は、表示部１２０が外部に露出する面と同一面において、カメラ１２１及び照度センサー１２２を有する。また、第２の筐体１０２は、液晶モジュール２０２及び液晶バックライト２０３を内部に有する。
【００１５】
ヒンジ部１０３は、第１の筐体１０１と第２の筐体１０２とを、図２のＸ１方向またはＸ２方向に互いに回転自在に連結する。
【００１６】
操作キー部１１０は、第１の筐体１０１に設けられ、ユーザにより操作されることにより、通話またはディジタルテレビ放送の視聴等を可能にする。また、操作キー部１１０は、蓄光部２０１を介して回路基板２００上に配置され、押圧された際に、回路基板２００に形成した電気接点間（図１及び図２において省略）を短絡することにより、所定の電気信号を回路基板２００上に流すことができる。また、操作キー部１１０は、図２の閉じた状態において、表示部１２０と対向する。また、操作キー部１１０は、外部に露出する表面に文字また数字等が形成される。また、操作キー部１１０は、蓄光部２０１の自己発光による光を外部に通過させることが可能な材料により形成され、所定の透過率を有する。また、操作キー部１１０は、蓄光部２０１の自己発光による光を外部に通過させることが可能な厚さに形成される。
【００１７】
表示部１２０は、例えば液晶ディスプレイであり、液晶モジュール２０２の制御により、受信したディジタルテレビ放送等の画像を表示する。また、表示部１２０は、液晶モジュール２０２を介して、液晶バックライト２０３により背面から照光される。これにより、表示部１２０は、明るい画像を表示することができる。また、表示部１２０は、図２の閉じた状態において、操作キー部１１０と対向する。
【００１８】
カメラ１２１は、第２の筐体１０２の上方の隅部に配置される。
【００１９】
照度センサー１２２は、第２の筐体１０２の上方の隅部に配置され、周囲の照度を測定する。
【００２０】
回路基板２００は、第１の筐体１０１の内部に配置される。また、回路基板２００は、回路パターン（図１及び図２において省略）が印刷等により形成されており、操作キー部１１０の押圧箇所に応じた所定の電気信号を、回路パターンを介して伝送する。
【００２１】
蓄光部２０１は、夜光塗料を塗布したシートであり、所定の透過率を有する操作キー部１１０の下側に配置される。また、蓄光部２０１は、暗所において、蓄光した光を自己発光することにより、操作キー部１１０に形成した文字または数字等の視認性を向上させることができる。なお、蓄光部２０１は、操作キー部１１０の下側に配置する場合に限らず、操作キー部１１０を蓄光樹脂により成型する方法等の任意の方法により設けることができる。
【００２２】
液晶モジュール２０２は、表示部１２０に画像を表示する際の表示制御を行う。
【００２３】
液晶バックライト２０３は、表示部１２０の背面から液晶モジュール２０２を介して表示部１２０を照光する。
【００２４】
次に、携帯端末装置１００の要部の構成について、図３を用いてさらに詳細に説明する。図３は、携帯端末装置１００の要部の側断面図である。
【００２５】
携帯端末装置１００は、図３に示すように、回路基板２００、金属接点部３０１、透明ビニールシート３０２、蓄光部２０１、操作キー部１１０、第１の筐体１０１の順に配置される。
【００２６】
回路基板２００は、第１の接点部３０３及び第２の接点部３０４を有する。また、回路基板２００の第１の接点部３０３上に金属接点部３０１が載置され、第１の接点部３０３と金属接点部３０１とが電気的に接続する。
【００２７】
図３の状態において、操作キー部１１０のいずれか１つのキーのキートップ１１０ａを下方向に押圧すると、キートップ１１０ａにより蓄光部２０１が下方向に押圧され、さらに蓄光部２０１により透明ビニールシート３０２が下方向に押圧される。そして、透明ビニールシート３０２により金属接点部３０１が下方向に押圧されることにより、金属接点部３０１の第２の接点部３０４と対向する部分が下方向に弾性変形する。これにより、金属接点部３０１は、第２の接点部３０４と電気的に接続し、第１の接点部３０３と第２の接点部３０４とを短絡する。
【００２８】
この状態において、キートップ１１０ａへの押圧を解除すると、金属接点部３０１の復帰力により金属接点部３０１と第２の接点部３０４との接続が解除され、透明ビニールシート３０２及び蓄光部２０１が上方向に移動して図３の状態に戻る。
【００２９】
また、蓄光部２０１の自己発光による光は、操作キー部１１０のキートップ１１０ａを通過して外部に漏れる。これにより、キートップ１１０ａに形成された文字等が光って、キートップ１１０ａに形成された文字等の視認性を向上させることができる。
【００３０】
次に、携帯端末装置１００の機能ブロックによる構成について、図４を用いて説明する。図４は、携帯端末装置１００の構成を示すブロック図である。
【００３１】
図４より、携帯端末装置１００は、時計回路４０１と、照度センサー４０２と、照度センサー４０３と、充電回路４０４と、カメラ４０５と、操作キー部４０６と、液晶表示部４０７と、液晶パネル４０８と、検出部４０９と、制御回路４１０とから主に構成される。液晶表示部４０７は、液晶モジュール２０２及び液晶バックライト２０３を含む。また、操作キー部４０６は、図１及び図２の操作キー部１１０と同一である。また、カメラ４０５は、図１及び図２のカメラ１２１と同一である。また、照度センサー４０２は、図１及び図２の照度センサー１２２と同一である。また、液晶パネル４０８は、図１及び図２の表示部１２０と同一である。以下に、各構成について、詳細に説明する。
【００３２】
時計回路４０１は、時刻を計測して、計測結果を制御回路４１０へ出力する。
【００３３】
照度センサー４０２は、携帯端末装置１００の周囲の照度を測定し、測定結果を制御回路４１０へ出力する。
【００３４】
照度センサー４０３は、操作キー部４０６の操作面の照度を測定する。また、照度センサー４０３は、測定結果を制御回路４１０へ出力する。
【００３５】
充電回路４０４は、携帯端末装置１００の図示しない電池を充電する。
【００３６】
カメラ４０５は、制御回路４１０の制御により、被写体を撮像する。また、カメラ４０５は、撮像した画像の画像データを制御回路４１０へ出力する。
【００３７】
操作キー部４０６は、押圧を検出し、検出結果を制御回路４１０へ出力する。また、操作キー部４０６は、蓄光部２０１を有する。蓄光部２０１は、筐体を閉じた状態において、液晶パネル４０８を背面から照光する液晶バックライト２０３の光を蓄光する。また、蓄光部２０１は、筐体を開いた状態において、外来光を蓄光する。
【００３８】
液晶表示部４０７は、制御回路４１０の制御により、液晶パネル４０８に表示する画像の表示制御を行う。
【００３９】
液晶パネル４０８は、液晶表示部４０７の制御により、所定の画像を表示する。
【００４０】
検出部４０９は、例えば磁気センサーであり、携帯端末装置１００の開いた状態と閉じた状態とを検出する。ここで、閉じた状態とは、第１の筐体１０１と第２の筐体１０２とが上下に重なり合う状態（図２の状態）を意味する。また、開いた状態とは、第１の筐体１０１または第２の筐体１０２が、閉じた状態から図１のＸ２方向またはＸ１方向に回転した図１の状態を意味する。
【００４１】
制御回路４１０は、時計回路４０１と、照度センサー４０２と、照度センサー４０３と、充電回路４０４と、カメラ４０５と、操作キー部４０６と、液晶表示部４０７と、検出部４０９とを制御する。具体的には、制御回路４１０は、時計回路４０１により計測する時刻を監視して、蓄光処理における各種の制御を行う。また、制御回路４１０は、照度センサー４０２及び照度センサー４０３により測定した照度に基づいて、蓄光処理における各種の制御を行う。また、制御回路４１０は、充電回路４０４による充電状態を監視して、蓄光処理における各種の制御を行う。また、制御回路４１０は、検出部４０９による開閉状態の検出結果に基づいて、蓄光処理における各種の制御を行う。
【００４２】
以上で、携帯端末装置１００の構成の説明を終える。
【００４３】
次に、携帯端末装置１００の閉じた状態において蓄光部２０１を蓄光させる方法について、図５を用いて説明する。図５は、携帯端末装置１００の閉じた状態において蓄光部２０１を蓄光させる方法を示すフロー図である。
【００４４】
最初に、制御回路４１０は、検出部４０９による検出結果が折り畳み状態（閉じた状態）であるか否かを判定する（ステップＳＴ５０１）。
【００４５】
折り畳み状態ではない場合には（ステップＳＴ５０１：Ｎｏ）、蓄光部２０１は外来光により蓄光可能であるので、制御回路４１０は蓄光処理を終了する。ここで、蓄光処理とは、筐体を閉じた状態において、液晶バックライト２０３の光により蓄光部２０１を蓄光させる処理を意味する。
【００４６】
一方、折り畳み状態である場合には（ステップＳＴ５０１：Ｙｅｓ）、制御回路４１０は、充電回路４０４により充電中（外部通電状態）であるか否かを判定する（ステップＳＴ５０２）。
【００４７】
充電中ではない場合には（ステップＳＴ５０２：Ｎｏ）、制御回路４１０は、時計回路４０１により計測した時刻の計測結果より、前回の蓄光処理終了時刻から一定時間経過しているか否かを判定する（ステップＳＴ５０３）。
【００４８】
前回の蓄光処理終了時刻から一定時間経過していない場合には（ステップＳＴ５０３：Ｎｏ）、蓄光部２０１は自己発光するだけのエネルギーを未だ蓄積しているので、制御回路４１０は蓄光処理を終了する。
【００４９】
一方、前回の蓄光処理終了時刻から一定時間経過している場合には（ステップＳＴ５０３：Ｙｅｓ）、制御回路４１０は、照度センサー４０２をＯＮにして、照度センサー４０２に周囲の照度を測定させる（ステップＳＴ５０４）。
【００５０】
次に、制御回路４１０は、照度センサー４０２の測定結果より周囲は暗いか否かを判定する（ステップＳＴ５０５）。制御回路４１０は、例えば照度の測定値と閾値とを比較し、測定値が閾値以上であれば周囲は明るいと判定し、測定値が閾値未満であれば周囲は暗いと判定する。
【００５１】
周囲が明るいと判定した場合には（ステップＳＴ５０５：Ｎｏ）、操作キー部４０６を視認することが容易であるので、制御回路４１０は蓄光処理を終了する。
【００５２】
周囲が暗いと判定した場合には（ステップＳＴ５０５：Ｙｅｓ）、制御回路４１０は、照度センサー４０３をＯＮにして、照度センサー４０３に操作キー部４０６の操作面の照度を測定させる（ステップＳＴ５０６）。この際、制御回路４１０は、照度センサー４０３の照度の測定結果に応じて、液晶表示部４０７の液晶バックライトを点灯する時間を制御しても良い。例えば、周囲の照度が著しく暗い場合には、僅かな光量による発光でも操作キー部４０６を視認することができるので、制御回路４１０は液晶バックライトの点灯時間を短くすることができる。即ち、制御回路４１０は、周囲の照度が低いほど液晶バックライトの点灯時間を短くすることができる。
【００５３】
次に、制御回路４１０は、照度センサー４０３の測定結果より操作キー部４０６の操作面の照度が低いか否かを判定する（ステップＳＴ５０７）。制御回路４１０は、例えば照度の測定値と閾値とを比較し、測定値が閾値以上であれば操作面は明るいと判定し、測定値が閾値未満であれば操作面は暗いと判定する。
【００５４】
操作キー部４０６の操作面が明るい（照度が高い）と判定した場合には（ステップＳＴ５０７：Ｎｏ）、操作キー部４０６を視認することが容易であるので、制御回路４１０は蓄光処理を終了する。
【００５５】
一方、操作キー部４０６の操作面が暗い（照度が低い）と判定した場合には（ステップＳＴ５０７：Ｙｅｓ）、制御回路４１０は、液晶バックライトをＯＮにする（ステップＳＴ５０８）。これにより、蓄光部２０１は、液晶バックライトの光を蓄光することができる。
【００５６】
また、制御回路４１０は、時計回路４０１の計測結果より、蓄光処理を開始してから所定の蓄光時間が経過したか否かを判定する（ステップＳＴ５０９）。
【００５７】
蓄光時間が経過していない場合には（ステップＳＴ５０９：Ｎｏ）、ステップＳＴ５０９の処理を繰り返す。
【００５８】
一方、蓄光時間が経過している場合には（ステップＳＴ５０９：Ｙｅｓ）、制御回路４１０は、液晶バックライトをＯＦＦにし（ステップＳＴ５１０）、蓄光処理を終了する。
【００５９】
また、ステップＳＴ５０２において、充電中である場合には（ステップＳＴ５０２：Ｙｅｓ）、電池容量が充分であるかまたは外部電源から適宜充電可能であるので、液晶バックライトの点灯により、電池残量が無くなることはない。従って、この場合、制御回路４１０は、ステップＳＴ５０３〜ステップＳＴ５０７の処理をスキップして、液晶バックライトをＯＮにする（ステップＳＴ５０８）。
【００６０】
このような携帯端末装置１００によれば、筐体を閉じた状態において、操作キー部１１０は、液晶バックライト２０３と対向する第１の筐体１０１の面Ｓ０（図２参照）に配置されるとともに、表示部１２０と対向する位置に配置される。この状態において、液晶バックライト２０３を点灯することにより、液晶バックライト２０３は、液晶モジュール２０２を介して表示部１２０を背面から照光し、さらに、表示部１２０及び操作キー部１１０を介して蓄光部２０１を照光する。従って、蓄光部２０１は、液晶バックライト２０３からの光を蓄光することができる。
【００６１】
因みに、特許文献１においては、キー照明部を設けるので、キー照明部を配置するためのスペースが必要になり、小型化及び薄型化できないとともに、キー照明部としての専用の部品が必要になるので、製造コストが増大するという問題がある。これに対して、本実施の形態においては、液晶バックライトを蓄光部を蓄光する際の光源にするので、上記の問題を解消することができる。
【００６２】
このように、本実施の形態によれば、筐体を閉じた状態において、液晶バックライトの光により、蓄光部を蓄光することができる。また、本実施の形態によれば、液晶バックライトを蓄光部の蓄光用の光源として利用するので、蓄光部を蓄光するための専用の部品を配置する必要がなく、小型化及び薄型化することができる。また、蓄光部を蓄光するための専用の部品を不要にすることができるので、製造コストの増大を抑制することができる。また、本実施の形態によれば、充電中ではない場合には、周囲が暗くかつ操作キー部の操作面が暗い場合に蓄光するので、蓄光処理に伴って電池残量が無くなることを防ぐことができる。また、本実施の形態によれば、周囲の照度に応じて、蓄光処理における液晶バックライトの点灯時間を可変にするので、液晶バックライトの点灯による電池の消費を最小限にすることができ、省電力にすることができる。
【００６３】
（実施の形態２）
図６は、本発明の実施の形態２に係る携帯端末装置６００の構成を示すブロック図である。
【００６４】
図６に示す携帯端末装置６００は、図４に示す実施の形態１に係る携帯端末装置１００に対して、照度センサー４０２及び照度センサー４０３を除く。なお、図６において、図４と同一構成である部分には同一の符号を付してその説明を省略する。また、携帯端末装置６００の機能ブロック以外の構成は、図１〜図３と同一構成であるので、その説明を省略する。以下に、図４と異なる構成について、詳細に説明する。
【００６５】
制御回路４１０は、時計回路４０１と、充電回路４０４と、カメラ４０５と、操作キー部４０６と、液晶表示部４０７と、検出部４０９とを制御する。具体的には、制御回路４１０は、時計回路４０１により計測する時刻を監視して、蓄光処理における各種の制御を行う。また、制御回路４１０は、充電回路４０４による充電状態を監視して、蓄光処理における各種の制御を行う。また、制御回路４１０は、検出部４０９による開閉状態の検出結果に基づいて、蓄光処理における各種の制御を行う。なお、制御回路４１０は、蓄光処理の際に、照度センサーの測定値を用いない点等が図３と異なる。
【００６６】
次に、携帯端末装置６００の閉じた状態において蓄光部２０１を蓄光させる方法について、図７を用いて説明する。図７は、携帯端末装置６００の閉じた状態において蓄光部２０１を蓄光させる方法を示すフロー図である。
【００６７】
最初に、制御回路４１０は、時計回路４０１の計測結果より、現在時刻が夜間であるか否かを判定する（ステップＳＴ７０１）。制御回路４１０は、例えば、時計回路４０１により計測した時刻が１８：００〜６：００（午後６：００〜午前６：００）の間であれば夜間と判定する。なお、夜間と判定する時間帯は、１８：００〜６：００の間に限らず、任意の時間帯にすることができる。
【００６８】
現在時刻が夜間ではない場合には（ステップＳＴ７０１：Ｎｏ）、操作キー部４０６の視認性は良好であるので、制御回路４１０は蓄光処理を終了する。
【００６９】
一方、現在時刻が夜間である場合には（ステップＳＴ７０１：Ｙｅｓ）、制御回路４１０ は、検出部４０９による検出結果が折り畳み状態（閉じた状態）であるか否かを判定する（ステップＳＴ７０２）。
【００７０】
折り畳み状態ではない場合には（ステップＳＴ７０２：Ｎｏ）、蓄光部２０１は、外来光により蓄光可能であるので、制御回路４１０は蓄光処理を終了する。
【００７１】
一方、折り畳み状態である場合には（ステップＳＴ７０２：Ｙｅｓ）、制御回路４１０は、充電回路４０４により充電中（充電状態）であるか否かを判定する（ステップＳＴ７０３）。
【００７２】
充電中ではない場合には（ステップＳＴ７０３：Ｎｏ）、制御回路４１０は、時計回路４０１により計測した時刻の計測結果より、前回の蓄光処理終了時刻から一定時間経過しているか否かを判定する（ステップＳＴ７０４）。
【００７３】
前回の蓄光処理終了時刻から一定時間経過していない場合には（ステップＳＴ７０４：Ｎｏ）、蓄光部２０１は、自己発光するだけのエネルギーを未だ蓄積しているので、制御回路４１０は蓄光処理を終了する。
【００７４】
一方、前回の蓄光処理終了時刻から一定時間経過している場合には（ステップＳＴ７０４：Ｙｅｓ）、制御回路４１０は、液晶バックライトをＯＮにする（ステップＳＴ７０５）。これにより、蓄光部２０１は、液晶バックライトの光を蓄光することができる。
【００７５】
また、制御回路４１０は、時計回路４０１の計測結果より、蓄光処理を開始してから所定の蓄光時間が経過したか否か判定する（ステップＳＴ７０６）。
【００７６】
蓄光時間が経過していない場合には（ステップＳＴ７０６：Ｎｏ）、ステップＳＴ７０６の処理を繰り返す。
【００７７】
一方、蓄光時間が経過している場合には（ステップＳＴ７０６：Ｙｅｓ）、制御回路４１０は、液晶バックライトをＯＦＦにし（ステップＳＴ７０７）、蓄光処理を終了する。
【００７８】
また、ステップＳＴ７０３において、充電中である場合には（ステップＳＴ７０３：Ｙｅｓ）、電池容量が充分であるので、液晶バックライトの点灯により、電池残量が無くなることはない。従って、この場合、制御回路４１０は、ステップＳＴ７０４の処理をスキップして、液晶バックライトをＯＮにする（ステップＳＴ７０５）。
【００７９】
因みに、特許文献１においては、キー照明部を設けるので、キー照明部を配置するためのスペースが必要になり、小型化及び薄型化できないとともに、キー照明部としての専用の部品が必要になるので、製造コストが増大するという問題がある。これに対して、本実施の形態においては、液晶バックライトを蓄光部を蓄光する際の光源にするので、上記の問題を解消することができる。
【００８０】
このように、本実施の形態によれば、筐体を閉じた状態において、液晶バックライトの光により、蓄光部を蓄光することができる。また、本実施の形態によれば、液晶バックライトを蓄光部の蓄光用の光源として利用することができるので、操作キー部の視認性を向上させるための別部品を配置する必要がないので、小型化及び薄型化することができる。また、操作キー部の視認性を向上させるための別部品を不要にすることができるので、製造コストを抑制することができる。また、本実施の形態によれば、照度センサーを用いずに蓄光部を蓄光することができるので、照度センサーを配置するスペースが不要になり、小型化及び薄型化することができるとともに、部品点数を削減することができるので、製造コストを低減することができる。また、本実施の形態によれば、夜間に蓄光処理を行うことにより、周囲の環境に応じて蓄光処理を行うことができるので、蓄光処理における電池の消費を最小限にすることができ、省電力にすることができる。
【００８１】
（実施の形態３）
図８は、本発明の実施の形態３に係る携帯端末装置８００の構成を示すブロック図である。
【００８２】
図８に示す携帯端末装置８００は、図４に示す実施の形態１に係る携帯端末装置１００に対して、照度センサー４０２及び照度センサー４０３を除き、動き検出センサー８０１を追加する。なお、図８において、図４と同一構成である部分には同一の符号を付してその説明を省略する。また、携帯端末装置８００の機能ブロック以外の構成は、図１〜図３と同一構成であるので、その説明を省略する。以下に、図４と異なる構成について、詳細に説明する。
【００８３】
動き検出センサー８０１は、例えば加速度センサーまたは静電容量センサーである。また、動き検出センサー８０１は、例えばユーザが携帯端末装置８００を手で持ったことによる動きを検出し、検出結果を制御回路４１０へ出力する。例えば、動き検出センサー８０１は、動きを示す値と閾値とを比較し、動きを示す値が閾値以上の場合に、検出結果を制御回路４１０へ出力する。
【００８４】
制御回路４１０は、時計回路４０１と、充電回路４０４と、カメラ４０５と、操作キー部４０６と、液晶表示部４０７と、検出部４０９と、動き検出センサー８０１とを制御する。具体的には、制御回路４１０は、時計回路４０１により計測する時刻を監視して、蓄光処理における各種の制御を行う。また、制御回路４１０は、動き検出センサー８０１による検出結果に基づいて、蓄光処理における各種の制御を行う。また、制御回路４１０は、充電回路４０４による充電状態を監視して、蓄光処理における各種の制御を行う。また、制御回路４１０は、検出部４０９による開閉状態の検出結果に基づいて、蓄光処理における各種の制御を行う。
【００８５】
次に、携帯端末装置８００の閉じた状態において蓄光部２０１を蓄光させる方法について、図９を用いて説明する。図９は、携帯端末装置８００の閉じた状態において蓄光部２０１を蓄光させる方法を示すフロー図である。
【００８６】
最初に、制御回路４１０は、動き検出センサー８０１により動きを検出したか否かを判定する（ステップＳＴ９０１）。制御回路４１０は、例えば、動き検出センサー８０１により検出した加速度と閾値とを比較し、加速度が閾値以上である場合に動いたことを検出し、加速度が閾値未満である場合には動いていないものと判定する。
【００８７】
動きを検出しない場合には（ステップＳＴ９０１：Ｎｏ）、携帯端末装置８００は机上に置かれた状態等であり、ユーザにより操作キー部４０６を視認される可能性は少ないので、制御回路４１０は蓄光処理を終了する。
【００８８】
一方、動きを検出した場合には（ステップＳＴ９０１：Ｙｅｓ）、制御回路４１０は、検出部４０９による検出結果が折り畳み状態（閉じた状態）であるか否かを判定する（ステップＳＴ９０２）。
【００８９】
折り畳み状態ではない場合には（ステップＳＴ９０２：Ｎｏ）、蓄光部２０１は外来光により蓄光可能であるので、制御回路４１０は蓄光処理を終了する。
【００９０】
一方、折り畳み状態である場合には（ステップＳＴ９０２：Ｙｅｓ）、制御回路４１０は、充電回路４０４により充電中（充電状態）であるか否かを判定する（ステップＳＴ９０３）。
【００９１】
充電中ではない場合には（ステップＳＴ９０３：Ｎｏ）、制御回路４１０は、時計回路４０１により計測した時刻の計測結果より、前回の蓄光処理終了時刻から一定時間経過しているか否かを判定する（ステップＳＴ９０４）。
【００９２】
前回の蓄光処理終了時刻から一定時間経過していない場合には（ステップＳＴ９０４：Ｎｏ）、蓄光部２０１は自己発光するだけのエネルギーを未だ蓄積しているので、制御回路４１０は蓄光処理を終了する。
【００９３】
一方、前回の蓄光処理終了時刻から一定時間経過している場合には（ステップＳＴ９０４：Ｙｅｓ）、制御回路４１０は、液晶バックライトをＯＮにする（ステップＳＴ９０５）。これにより、蓄光部２０１は、液晶バックライトの光を蓄光することができる。
【００９４】
また、制御回路４１０は、時計回路４０１の計測結果より、蓄光処理を開始してから所定の蓄光時間が経過したか否か判定する（ステップＳＴ９０６）。蓄光時間は、例えば携帯端末装置８００を閉じた状態から開いた状態にする直前の数秒間に設定する。
【００９５】
蓄光時間が経過していない場合には（ステップＳＴ９０６：Ｎｏ）、ステップＳＴ９０６の処理を繰り返す。
【００９６】
一方、蓄光時間が経過している場合には（ステップＳＴ９０６：Ｙｅｓ）、制御回路４１０は、液晶バックライトをＯＦＦにし（ステップＳＴ９０７）、蓄光処理を終了する。
【００９７】
また、ステップＳＴ９０３において、充電中である場合には（ステップＳＴ９０３：Ｙｅｓ）、電池容量が充分であるので、液晶バックライトの点灯により、電池残量が無くなることはない。従って、この場合、制御回路４１０は、ステップＳＴ９０４の処理をスキップして、液晶バックライトをＯＮにする（ステップＳＴ９０５）。
【００９８】
因みに、特許文献１においては、キー照明部を設けるので、キー照明部を配置するためのスペースが必要になり、小型化及び薄型化できないとともに、キー照明部としての専用の部品が必要になるので、製造コストが増大するという問題がある。これに対して、本実施の形態においては、液晶バックライトを蓄光部を蓄光する際の光源にするので、上記の問題を解消することができる。
【００９９】
このように、本実施の形態によれば、筐体を閉じた状態において、液晶バックライトの光により、蓄光部を蓄光することができる。また、本実施の形態によれば、液晶バックライトを蓄光部の蓄光用の光源として利用することができるので、操作キー部の視認性を向上させるための別部品を配置する必要がないので、小型化及び薄型化することができる。また、操作キー部の視認性を向上させるための別部品を不要にすることができるので、製造コストを抑制することができる。また、本実施の形態によれば、ユーザが携帯端末装置を手に持った場合等の、操作キー部を視認する可能性が高い場合に蓄光処理を行うことができるので、蓄光処理に伴う電池の消費を最小限にすることができ、省電力にすることができる。
【０１００】
（実施の形態４）
図１０は、本発明の実施の形態４に係る携帯端末装置１０００の斜視図である。また、図１１は、本発明の実施の形態４に係る携帯端末装置１０００の側面図である。また、図１０は、携帯端末装置１０００の開いた状態を示し、図１１は、携帯端末装置１０００の閉じた状態を示す。
【０１０１】
携帯端末装置１０００は、第１の筐体１００１と、第２の筐体１００２とから主に構成される。また、第１の筐体１００１は、操作キー部１０１０と、回路基板１１００と、蓄光部１１０１とを有する。また、第２の筐体１００２は、表示部１０２０と、照度センサー１０２１と、液晶モジュール１１０２と、液晶バックライト１１０３とを有する。以下に、各構成について、詳細に説明する。
【０１０２】
第１の筐体１００１は、略箱形であり、第２の筐体１００２に対してＹ１方向またはＹ２方向（図１１参照）にスライド自在に、第２の筐体１００２に取り付けられる。また、第１の筐体１００１は、外部に露出する操作キー部１０１０を有する。また、第１の筐体１００１は、内部に回路基板１１００及び蓄光部１１０１を有する。また、第１の筐体１００１の内部において、操作キー部１０１０を含む領域ｒ２（図９において破線により囲まれる領域）に蓄光部１１０１が配置される。
【０１０３】
第２の筐体１００２は、略箱形であり、第１の筐体１００１に対してＹ１方向またはＹ２方向にスライド自在に、第１の筐体１００１に取り付けられる。また、第２の筐体１００２は、外部に露出する表示部１０２０を有する。また、第２の筐体１００２は、表示部１０２０が外部に露出する面と同一面において、照度センサー１０２１を有する。また、第２の筐体１００２は、液晶モジュール１１０２及び液晶バックライト１１０３を内部に有する。また、第２の筐体１００２は、第１の筐体１００１と対向する背面に、開口部１１０４が形成される。開口部１１０４は、液晶バックライト１１０３の光を、第１の筐体１００１に設けた操作キー部１０１０及び蓄光部１１０１に導くために形成される。第２の筐体１００２の背面の開口部１１０４が形成されている箇所は、筐体を閉じた状態と開いた状態の双方において、外部からは視認できない。
【０１０４】
操作キー部１０１０は、第１の筐体１００１に設けられ、ユーザにより操作されることにより、通話またはディジタルテレビ放送の視聴等を可能にする。また、操作キー部１０１０は、蓄光部１１０１を介して回路基板１１００上に配置され、押圧された際に、回路基板１１００に形成した電気接点間（図１０及び図１１において省略）を短絡することにより、所定の電気信号を回路基板１１００上に流すことができる。また、操作キー部１０１０は、図１１の閉じた状態において、第２の筐体１００２の開口部１１０４と対向する。また、操作キー部１０１０は、図１１の下側に蓄光部１１０１を有する。また、操作キー部１０１０は、外部に露出する表面に文字また数字等が形成される。また、操作キー部１０１０は、蓄光部１１０１の自己発光による光を外部に通過させることが可能な材料により形成され、所定の透過率を有する。また、操作キー部１０１０は、蓄光部１１０１の自己発光による光を外部に通過させることが可能な厚さに形成される。
【０１０５】
表示部１０２０は、例えば液晶ディスプレイであり、液晶モジュール１１０２の制御により、受信したディジタルテレビ放送等の画像を表示する。また、表示部１０２０は、液晶モジュール１１０２を介して、液晶バックライト１１０３により背面から照光される。これにより、表示部１０２０は、明るい画像を表示することができる。
【０１０６】
照度センサー１０２１は、第２の筐体１００２の上方の隅部に配置され、周囲の照度を測定する。
【０１０７】
回路基板１１００は、第１の筐体１００１の内部に配置される。また、回路基板１１００は、回路パターン（図１０及び図１１において省略）が印刷等により形成されており、操作キー部１０１０の押圧箇所に応じた所定の電気信号を、回路パターンを介して伝送する。
【０１０８】
蓄光部１１０１は、夜光塗料を塗布したシートであり、所定の透過率を有する操作キー部１０１０の下側に配置される。また、蓄光部１１０１は、暗所において、蓄光した光を自己発光することにより、操作キー部１０１０に形成した文字または数字等の視認性を向上させることができる。なお、蓄光部１１０１は、操作キー部１０１０の下側に配置する場合に限らず、操作キー部１０１０を蓄光樹脂により成型する方法等の任意の方法により設けることができる。
【０１０９】
液晶モジュール１１０２は、表示部１０２０に画像を表示する際の表示制御を行う。
【０１１０】
液晶バックライト１１０３は、表示部１０２０の背面から液晶モジュール１１０２を介して表示部１０２０を照光する。
【０１１１】
以上で、携帯端末装置１０００の構成の説明を終える。なお、携帯端末装置１０００の要部の構成は、図３と同一構成であるので、その説明を省略する。また、携帯端末装置１０００の機能ブロックによる構成は、図４、図６または図８の何れかと同一構成であるので、その説明を省略する。また、携帯端末装置１０００の閉じた状態において蓄光部１１０１に蓄光させる方法は、図４、図７または図９の何れかと同一であるので、その説明を省略する。
【０１１２】
このような携帯端末装置１０００によれば、筐体を閉じた状態において、操作キー部１０１０は、液晶バックライト１１０３と対向する第１の筐体１００１の面Ｓ１（図１１参照）に配置されるとともに、開口部１１０４と対向する。この状態において、液晶バックライト１１０３を点灯することにより、液晶バックライト１１０３の光が開口部１１０４を介して操作キー部１０１０及び蓄光部１１０１に導かれる。従って、操作キー部１０１０及び蓄光部１１０１と、液晶バックライト１１０３とは対向していないにも関わらず、蓄光部１１０１は、開口部１１０４を介して導かれる液晶バックライト１１０３からの光を蓄光することができる。
【０１１３】
因みに、特許文献１においては、キー照明部を設けるので、キー照明部を配置するためのスペースが必要になり、小型化及び薄型化できないとともに、キー照明部としての専用の部品が必要になるので、製造コストが増大するという問題がある。これに対して、本実施の形態においては、液晶バックライトを蓄光部を蓄光する際の光源にするので、上記の問題を解消することができる。
【０１１４】
このように、本実施の形態によれば、筐体を閉じた状態において、液晶バックライトの光により、蓄光部を蓄光することができる。また、本実施の形態によれば、液晶バックライトを蓄光部の蓄光用の光源として利用することができるので、操作キー部の視認性を向上させるための別部品を配置する必要がないので、小型化及び薄型化することができる。また、操作キー部の視認性を向上させるための別部品を不要にすることができるので、製造コストを抑制することができる。また、本実施の形態によれば、蓄光部は、外部から視認できない箇所に設けた開口部から導かれた液晶バックライトの光により蓄光するので、外観デザインの見栄えが悪くなるのを防ぐことができる。また、本実施の形態によれば、筐体を閉じた状態において、操作キー部及び蓄光部と表示部とが対向しないスライド式の携帯端末装置であっても、蓄光部を蓄光することができる。
【０１１５】
なお、本実施の形態において、開口部から導かれる光により、蓄光部を直接蓄光したが、本実施の形態はこれに限らず、開口部と液晶バックライトとの間に導光板を設けて、導光板により導かれた光を、蓄光部において蓄光するようにしても良い。
【０１１６】
（実施の形態５）
図１２は、本発明の実施の形態５に係る携帯端末装置１２００の斜視図である。また、図１３は、本発明の実施の形態５に係る携帯端末装置１２００の側面図である。また、図１２は、携帯端末装置１２００の開いた状態を示し、図１３は、携帯端末装置１２００の閉じた状態を示す。
【０１１７】
携帯端末装置１２００は、第１の筐体１２０１と、第２の筐体１２０２とから主に構成される。また、第１の筐体１２０１は、電池部１２１０と、回路基板１３００と、操作キー部１３０１と、蓄光部１３０２とを有する。また、第２の筐体１２０２は、カメラ１２２０と、フォトライト１２２１と、表示部１３０３と、液晶モジュール１３０４と、液晶バックライト１３０５とを有する。以下に、各構成について、詳細に説明する。
【０１１８】
第１の筐体１２０１は、略箱形であり、第２の筐体１２０２に対してＺ１方向またはＺ２方向（図１３参照）にスライド自在に、第２の筐体１２０２に取り付けられる。また、第１の筐体１２０１は、外部に露出する操作キー部１３０１を有する。また、第１の筐体１２０１は、内部に回路基板１３００及び蓄光部１３０２を有する。また、第１の筐体１２０１は、電池部１２１０を有する。
【０１１９】
第２の筐体１２０２は、略箱形であり、第１の筐体１２０１に対してＺ１方向またはＺ２方向にスライド自在に、第１の筐体１２０１に取り付けられる。また、第２の筐体１２０２は、外部に露出する表示部１３０３を有する。また、第２の筐体１２０２は、液晶モジュール１３０４及び液晶バックライト１３０５を内部に有する。また、第２の筐体１２０２は、第１の筐体１２０１と対向する背面に露出するカメラ１２２０及びフォトライト１２２１を有する。
【０１２０】
電池部１２１０は、充電可能な電池を内部に有する。
【０１２１】
カメラ１２２０は、第２の筐体１２０２に設けられる。また、カメラ１２２０は、図１２の開いた状態において、第２の筐体１２０２の上方の外部に露出する位置に配置される。
【０１２２】
フォトライト１２２１は、例えばＬＥＤであり、カメラ１２２０による撮像の際に、発光して被写体を照光するフラッシュとして機能する。フォトライト１２２１は、カメラ１２２０で撮像するタイミングで発光する。また、フォトライト１２２１は、図１２の開いた状態において、第２の筐体１２０２の上方の外部に露出する位置に配置される。
【０１２３】
回路基板１３００は、第１の筐体１２０１の内部に配置される。また、回路基板１３００は、回路パターン（図１２及び図１３において省略）が印刷等により形成されており、操作キー部１３０１の押圧箇所に応じた所定の電気信号を、回路パターンを介して伝送する。
【０１２４】
操作キー部１３０１は、第１の筐体１２０１に設けられ、ユーザにより操作されることにより、通話またはディジタルテレビ放送の視聴等を可能にする。また、操作キー部１３０１は、蓄光部１３０２を介して回路基板１３００上に配置され、押圧された際に、回路基板１３００に形成した電気接点間（図１２及び図１３において省略）を短絡することにより、所定の電気信号を回路基板１３００上に流すことができる。また、操作キー部１３０１は、図１３の閉じた状態において、第２の筐体１２０２の背面と対向する。また、操作キー部１３０１は、下側（図１３において下側）に蓄光部１３０２が配置される。また、操作キー部１３０１は、外部に露出する表面に文字また数字等が形成される。また、操作キー部１３０１は、蓄光部１３０２の自己発光による光を外部に通過させることが可能な材料により形成され、所定の透過率を有する。また、操作キー部１３０１は、蓄光部１３０２の自己発光による光を外部に通過させることが可能な厚さに形成される。
【０１２５】
蓄光部１３０２は、夜光塗料を塗布したシートであり、所定の透過率を有する操作キー部１３０１の下側に配置される。また、蓄光部１３０２は、暗所において、蓄光した光を自己発光することにより、操作キー部１３０１に形成した文字または数字等の視認性を向上させることができる。なお、蓄光部１３０２は、操作キー部１３０１の下側に配置する場合に限らず、操作キー部１３０１を蓄光樹脂により成型する方法等の任意の方法により設けることができる。
【０１２６】
表示部１３０３は、例えば液晶ディスプレイであり、液晶モジュール１３０４の制御により、受信したディジタルテレビ放送等の画像を表示する。また、表示部１３０３は、液晶モジュール１３０４を介して、液晶バックライト１３０５により背面から照光される。これにより、表示部１３０３は、明るい画像を表示することができる。
【０１２７】
液晶モジュール１３０４は、表示部１３０３に画像を表示する際の表示制御を行う。
【０１２８】
液晶バックライト１３０５は、表示部１３０３の背面から液晶モジュール１３０４を介して表示部１３０３を照光する。
【０１２９】
次に、携帯端末装置１２００の機能ブロックによる構成について、図１４を用いて説明する。図１４は、携帯端末装置１２００の構成を示すブロック図である。
【０１３０】
図１４に示す携帯端末装置１２００は、図４に示す実施の形態１に係る携帯端末装置１００に対して、フォトライト１４００を追加する。なお、図１４において、図４と同一構成である部分には同一の符号を付してその説明を省略する。
【０１３１】
液晶表示部４０７は、液晶モジュール１３０４及び液晶バックライト１３０５を含む。また、操作キー部４０６は、図１３の操作キー部１３０１と同一である。また、カメラ４０５は、図１２及び図１３のカメラ１２２０と同一である。また、フォトライト１４００は、図１２及び図１３のフォトライト１２２１と同一である。また、液晶パネル４０８は、図１３の表示部１３０３と同一である。以下に、図４と異なる構成について、詳細に説明する。
【０１３２】
カメラ４０５は、制御回路４１０の制御により、被写体を撮像する。また、カメラ４０５は、撮像した画像の画像データを制御回路４１０へ出力する。また、カメラ４０５は、撮像のタイミングをフォトライト１４００に通知する。
【０１３３】
フォトライト１４００は、制御回路４１０の制御により発光する。また、フォトライト１４００は、フラッシュ撮影を可能にするために、カメラ４０５から通知されたタイミングで発光する。
【０１３４】
操作キー部４０６は、押圧を検出し、検出結果を制御回路４１０へ出力する。また、操作キー部４０６は、下側に蓄光部が配置される。蓄光部は、閉じた状態において、フォトライト１４００が発光した際の光を蓄光する。また、蓄光部は、開いた状態において、外来光を蓄光する。
【０１３５】
制御回路４１０は、時計回路４０１と、照度センサー４０２と、照度センサー４０３と、充電回路４０４と、カメラ４０５と、操作キー部４０６と、液晶表示部４０７と、検出部４０９と、フォトライト１４００とを制御する。具体的には、制御回路４１０は、時計回路４０１により計測する時刻を監視して、蓄光処理における各種の制御を行う。また、制御回路４１０ は、照度センサー４０２及び照度センサー４０３により測定した照度に基づいて、蓄光処理における各種の制御を行う。また、制御回路４１０は、充電回路４０４による充電状態を監視して、蓄光処理における各種の制御を行う。また、制御回路４１０は、検出部４０９による開閉状態の検出結果に基づいて、蓄光処理における各種の制御を行う。
【０１３６】
なお、携帯端末装置１２００の要部の構成は、図３と同一であるので、その説明を省略する。また、携帯端末装置１２００の閉じた状態において蓄光部１３０２を蓄光させる方法は、液晶バックライトの代わりにフォトライト１４００を用いる以外は、図５、図７または図９と同一であるので、その説明を省略する。
【０１３７】
このような携帯端末装置１２００によれば、筐体を閉じた状態において、操作キー部１３０１は、フォトライト１２２１と対向する第１の筐体１２０１の面Ｓ２（図１３参照）に配置される。この状態において、フォトライト１２２１を点灯することにより、フォトライト１２２１の光が隙間Ｌ１を介して操作キー部１３０１及び蓄光部１３０２に届く。従って、操作キー部１３０１及び蓄光部１３０２と、フォトライト１２２１とは対向していないにも関わらず、蓄光部１３０２は、隙間Ｌ１及び操作キー部１３０１を介して届くフォトライト１２２１からの光を蓄光することができる。
【０１３８】
因みに、特許文献１においては、キー照明部を設けるので、キー照明部を配置するためのスペースが必要になり、小型化及び薄型化できないとともに、キー照明部としての専用の部品が必要になるので、製造コストが増大するという問題がある。これに対して、本実施の形態においては、フォトライトを蓄光部を蓄光する際の光源にするので、上記の問題を解消することができる。
【０１３９】
このように、本実施の形態によれば、筐体を閉じた状態において、フォトライトの光により、蓄光部を蓄光することができる。また、本実施の形態によれば、フラッシュ用のフォトライトを蓄光部の蓄光用の光源として利用することができるので、操作キー部の視認性を向上させるための別部品を配置する必要がないので、小型化及び薄型化することができる。また、操作キー部の視認性を向上させるための別部品を不要にすることができるので、製造コストを抑制することができる。また、本実施の形態によれば、筐体を閉じた状態において、操作キー部及び蓄光部とフォトライトとが対向しないスライド式の携帯端末装置であっても、蓄光部を蓄光することができる。
【０１４０】
なお、上記の実施の形態１〜実施の形態５において、液晶バックライトまたはフォトライトを蓄光の際の光源にしたが、本発明はこれに限らず、液晶バックライト及びフォトライト以外の、着信元等を表示するサブ液晶画面を背面から照光するバックライトを光源にしても良く、任意の発光手段を光源にすることができる。また、上記の実施の形態１〜実施の形態５において、操作キー部を含む第１の筐体の略全体に蓄光部を設けたが、本発明はこれに限らず、操作キー部のみに蓄光部を設けても良いし、または操作キー部の一部のキーにのみ蓄光部を設けても良いし、蓄光部を設ける範囲は任意の範囲にすることができる。また、上記の実施の形態１〜実施の形態５において、操作キー部に蓄光部を設けたが、本発明はこれに限らず、操作キー部以外のスイッチ等のユーザが操作する任意の箇所に蓄光部を設けて、蓄光処理を行うことができる。
【産業上の利用可能性】
【０１４１】
本発明は、特に互いに可動する複数の筐体を有する携帯端末装置に適用することができる。
【符号の説明】
【０１４２】
１００  携帯端末装置
１０１  第１の筐体
１０２  第２の筐体
１０３  ヒンジ部
１１０  操作キー部
１２０  表示部
２００  回路基板
２０１  蓄光部
２０２  液晶モジュール
２０３  液晶バックライト
【図１】
2011097422.tif 000003
【図２】
2011097422.tif 000004
【図３】
2011097422.tif 000005
【図４】
2011097422.tif 000006
【図５】
2011097422.tif 000007
【図６】
2011097422.tif 000008
【図７】
2011097422.tif 000009
【図８】
2011097422.tif 000010
【図９】
2011097422.tif 000011
【図１０】
2011097422.tif 000012
【図１１】
2011097422.tif 000013
【図１２】
2011097422.tif 000014
【図１３】
2011097422.tif 000015
【図１４】
2011097422.tif 000016